(57)【要約】【課題】イオンを表示領域の外側に留めることのできる液晶表示装置を提供する。【解決手段】液晶表示装置は、第１基板と、駆動回路と、第２基板と、シール材９５と、液晶層９０と、を備える。第１基板は、非表示領域６０に設けられたトラップ電極７と、非表示領域にて上記トラップ電極より表示領域５０側に設けられ走査線１１の上方に位置したシールド電極６と、を有する。上記駆動回路は、上記トラップ電極の電位を上記シールド電極の電位に対して異ならせる。上記シール材は、上記トラップ電極の少なくとも一部と対向する。【選択図】図６
2017090771.tif 000002
【特許請求の範囲】
【請求項１】
画像を表示する表示領域と、前記表示領域の外側の非表示領域と、前記表示領域から前記非表示領域にわたって設けられた走査線と、前記非表示領域に設けられた第１トラップ電極と、前記非表示領域にて前記第１トラップ電極より前記表示領域側に設けられ前記走査線の上方に位置した第１シールド電極と、を有する第１基板と、
前記走査線と前記第１トラップ電極と前記第１シールド電極とを駆動し前記第１トラップ電極の電位を前記第１シールド電極の電位に対して異ならせる駆動回路と、
前記第１基板に対向配置された第２基板と、
前記非表示領域に位置し前記第１トラップ電極の少なくとも一部と対向し前記第１基板と前記第２基板とを接合したシール材と、
前記第１基板、前記第２基板及び前記シール材で囲まれた空間に保持された液晶層と、を備える、液晶表示装置。
【請求項２】
前記第１基板は、少なくとも前記表示領域に設けられた共通電極をさらに有し、
前記駆動回路は、前記共通電極をさらに駆動し前記共通電極の電位を前記第１シールド電極の電位と同一に設定する、請求項１に記載の液晶表示装置。
【請求項３】
前記シール材は、前記第１トラップ電極の全体と対向している、請求項１に記載の液晶表示装置。
【請求項４】
前記第１基板は、第１絶縁層と、前記第１絶縁層上に形成された第２絶縁層と、をさらに備え、
前記第１トラップ電極は、前記第１絶縁層の上方に形成されている、請求項１に記載の液晶表示装置。
【請求項５】
前記第１基板は、前記第１絶縁層上に形成され前記第２基板側に突出した第１突出部をさらに有し、
前記第１トラップ電極は、前記第１突出部の上方に形成されている、請求項４に記載の液晶表示装置。
【請求項６】
前記第１トラップ電極は、前記第１突出部の上面から前記第１突出部の前記表示領域側の壁面にわたって形成され前記第２絶縁層で覆われている、請求項５に記載の液晶表示装置。
【請求項７】
前記第２絶縁層は、前記第１突出部に重畳した第２突出部を有し、
前記第１トラップ電極は、前記第２突出部の上に形成されている、請求項５に記載の液晶表示装置。
【請求項８】
前記第１トラップ電極は、前記第２突出部の上面から前記第２突出部の前記表示領域側の壁面にわたって形成されている、請求項７に記載の液晶表示装置。
【請求項９】
前記第１基板は、前記第１トラップ電極と前記第１シールド電極との間、又は前記非表示領域にて前記第１シールド電極より前記表示領域側に設けられた第２トラップ電極をさらに備え、
前記駆動回路は、前記第２トラップ電極をさらに駆動し前記第２トラップ電極の電位を前記第１シールド電極の電位に対して異ならせる、請求項１に記載の液晶表示装置。
【請求項１０】
前記第１基板は、前記非表示領域にて前記第１シールド電極より前記表示領域側に設けられた第２シールド電極と、前記第１シールド電極と前記第２シールド電極との間に設けられた第２トラップ電極と、をさらに備え、
前記駆動回路は、前記第２シールド電極と前記第２トラップ電極とをさらに駆動し前記第２シールド電極の電位を前記第１シールド電極の電位と同一に設定し前記第２トラップ電極の電位を前記第１シールド電極及び前記第２シールド電極の電位に対して異ならせる、請求項１に記載の液晶表示装置。
【請求項１１】
前記駆動回路は、前記第１トラップ電極の電位を前記第１シールド電極の電位に対して低く設定する、請求項１に記載の液晶表示装置。
【発明の詳細な説明】
【技術分野】
【０００１】
本発明の実施形態は、液晶表示装置に関する。
【背景技術】
【０００２】
ＦＦＳ（Fringe Field Switching）方式を含むＩＰＳ（In Plane Switching）方式等の液晶表示装置は、アレイ基板と、対向基板と、液晶層と、を備えている。アレイ基板にはドライバ回路が設けられ、走査線及び信号線にはドライバ回路によって電圧が印加される。そのため、アレイ基板において、走査線は表示領域の外側まで延在して形成されている。
【０００３】
ここで、液晶層、配向膜、及びシール材からの不純物、水分侵入による外部からの不純物などが帯電したイオンが生じることがある。かかるイオンは。電圧値を下げるので、液晶表示装置の表示輝度を低下し黒く見えるいわゆる黒ムラを生じさせる原因になる。このようなイオンは、表示領域の外側に位置する走査線による電解により、表示領域の外側の走査線近傍に集まる。上記イオンが多く発生した場合、一部のイオンは、表示領域の外側だけではなく、表示領域の内側にも溢れ出ることになる。
【０００４】
一方、表示領域の外側に延在する走査線から漏れる電界をシールドするために、表示領域の外側にて、走査線の上方をシールド電極で覆う技術が知られている。表示領域の近傍の電界を電気的にシールドすることにより、黒ムラの発生を抑制することができる。なお、表示領域の近傍にて電界が存在すると、表示領域内でイオンが局在化し、黒ムラが発生し易いためである。しかしながら、単に、液晶表示装置がシールド電極を備えただけでは、イオンを表示領域の外側に留めておくことが困難であり、表示領域の内側にも溢れ出ることになり得るものである。
【先行技術文献】
【特許文献】
【０００５】
【特許文献１】特許第２８３６５８９号公報
【特許文献２】特許第５３９４６５５号公報
【発明の概要】
【発明が解決しようとする課題】
【０００６】
本実施形態は、イオンを表示領域の外側に留めることのできる液晶表示装置を提供する。
【課題を解決するための手段】
【０００７】
一実施形態に係る液晶表示装置は、
画像を表示する表示領域と、前記表示領域の外側の非表示領域と、前記表示領域から前記非表示領域にわたって設けられた走査線と、少なくとも前記表示領域に設けられた共通電極と、前記非表示領域に設けられた第１トラップ電極と、前記非表示領域にて前記第１トラップ電極より前記表示領域側に設けられ前記走査線の上方に位置した第１シールド電極と、を有する第１基板と、
前記走査線と前記第１トラップ電極と前記第１シールド電極とを駆動し前記第１トラップ電極の電位を前記第１シールド電極の電位に対して異ならせる駆動回路と、
前記第１基板に対向配置された第２基板と、
前記非表示領域に位置し前記第１トラップ電極の少なくとも一部と対向し前記第１基板と前記第２基板とを接合したシール材と、
前記第１基板、前記第２基板及び前記シール材で囲まれた空間に保持された液晶層と、を備える。
【図面の簡単な説明】
【０００８】
【図１】図１は、第１の実施形態に係る液晶表示装置を示す斜視図である。
【図２】図２は、図１に示したアレイ基板を示す平面図である。
【図３】図３は、図２に示したアレイ基板の一部を拡大して示す平面図である。
【図４】図４は、図３の線ＩＶ−ＩＶに沿った液晶表示装置の断面図である。
【図５】図５は、図２に示したアレイ基板の他の一部を拡大して示す平面図である。
【図６】図６は、図５の線ＶＩ−ＶＩに沿った液晶表示装置の断面図である。
【図７】図７は、上記アレイ基板を示す他の平面図である。
【図８】図８は、図７に示したアレイ基板の一部を拡大して示す平面図である。
【図９】図９は、第２の実施形態に係る液晶表示装置を示す断面図である。
【図１０】図１０は、第３の実施形態に係る液晶表示装置を示す断面図である。
【図１１】図１１は、第４の実施形態に係る液晶表示装置を示す断面図である。
【図１２】図１２は、図１１に示したアレイ基板を示す平面図である。
【図１３】図１３は、図１２に示したアレイ基板の一部を拡大して示す平面図である。
【図１４】図１４は、第５の実施形態に係る液晶表示装置を示す断面図である。
【図１５】図１５は、第６の実施形態に係る液晶表示装置を示す断面図である。
【図１６】図１６は、第７の実施形態に係る液晶表示装置を示す断面図である。
【図１７】図１７は、第８の実施形態に係る液晶表示装置を示す断面図である。
【図１８】図１８は、第９の実施形態に係る液晶表示装置を示す断面図である。
【図１９】図１９は、第１０の実施形態に係る液晶表示装置を示す断面図である。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（第１の実施形態）
まず、第１の実施形態に係る液晶表示装置について説明する。  
図１は、液晶表示装置１００の斜視図である。液晶表示装置１００は、第１基板としてのアレイ基板２００と、第２基板としての対向基板３００と、バックライト装置９００とを含む。  
バックライト装置９００は、例えばＬＥＤ（Light Emitting Diode）等の発光部を有し、アレイ基板２００の外側から、アレイ基板２００及び対向基板３００を透過するよう光を出射する。
【００１１】
図２は、アレイ基板２００の平面図である。図３は、アレイ基板２００の一部を拡大して示す平面図であり、図２における領域Ａを拡大した図である。図４は、図３の線ＩＶ−ＩＶに沿った液晶表示装置１００の断面図である。  
各実施形態において、対向基板３００からアレイ基板２００に向かう方向を下方、アレイ基板２００から対向基板３００に向かう方向を上方とする。なお、図３において、バックライト装置９００は、アレイ基板２００の下方に設けられている。液晶層９０は、アレイ基板２００と対向基板３００との間に保持されている。下方に液晶表示装置１００を見ることを平面視という。
【００１２】
アレイ基板２００は、走査線１と、信号線２と、共通電極４と、画素電極５と、透明基板３０と、第１絶縁層としての絶縁層３１と、第２絶縁層としての絶縁層３２と、半導体層３３と、ソース電極３４と、ドレイン電極３５と、配向膜３９とを備える。  
絶縁性の透明基板３０は、ガラス製であるが、プラスチック製であってもよい。透明基板３０は、例えば矩形状である。
【００１３】
複数の走査線１は、アレイ基板２００の一方向に沿って、等間隔に設けられている。一方向は、例えば透明基板３０の短辺方向である。複数の走査線１は、透明基板３０上に設けられている。走査線１には、オン時には、共通電極４の電圧より高いゲートハイ電圧が印加され、オフ時には共通電極４より低いゲートロー電圧が印加される。  
複数の信号線２は、アレイ基板２００の他方向に沿って、等間隔に設けられている。他方向は、例えば透明基板３０の長辺方向である。一方向と他方向は平面視において垂直であり、走査線１は、信号線２と交差している。走査線１及び信号線２は、一部が屈曲していてもよい。信号線２には、表示する画像（映像）に応じた電圧が印加される。
【００１４】
絶縁層３１は、透明基板３０上及び信号線２上に設けられている。透明基板３０と走査線１との間には、アンダーコート膜又は絶縁層等が設けられていてもよい。  
共通電極４は、絶縁層３１上に設けられている。共通電極４は、少なくとも表示領域５０に設けられている。ここでは、共通電極４は、表示領域５０全体に亘って設けられている。共通電極４は、平板状であるが、帯状であってもよい。共通電極４には定電圧が与えられ、共通電極４の電位は一定に保たれている。
【００１５】
半導体層３３は、絶縁層３１上に設けられている。半導体層３３は、走査線１の上方に設けられており、平面視において、走査線１の幅方向より広い幅をなした板状である。ソース電極３４は、絶縁層３１上であって、半導体層３３の一端側に接続されている。ソース電極３４は、一部が半導体層３３の上に設けられている。ドレイン電極３５は、絶縁層３１上であって、半導体層３３の他端側に接続されている。ドレイン電極３５は、一部が半導体層３３の上に設けられている。走査線１、絶縁層３１、半導体層３３、ソース電極３４及びドレイン電極３５は、スイッチング素子４０として機能している。  
スイッチング素子４０は、走査線１に印加された電圧によって導通状態が制御され、オン状態又はオフ状態に切替えられる。スイッチング素子４０がオンのときに、信号線２に与えられる画像信号（映像信号）に応じた電圧は、ソース電極３４及び半導体層３３を介してドレイン電極３５に与えられる。  
絶縁層３２は、絶縁層３１上に設けられており、共通電極４及びスイッチング素子４０を覆っている。なお、絶縁層３２は、絶縁層３１と接触していなくともよく、他の絶縁層又はカラーフィルタ等が絶縁層３２と絶縁層３１との間に設けられていてもよい。  
絶縁層３１及び絶縁層３２は、それぞれ、各種の絶縁材料を用い、一層の絶縁層又は積層された複数の絶縁層で形成されている。例示すると、絶縁層３１は一層の有機絶縁層で形成され、絶縁層３２は一層の無機絶縁層で形成されている。
【００１６】
画素電極５は、絶縁層３２上に設けられており、板状に形成されている。画素電極５には開口が形成されている。本実施形態では、画素電極５には、信号線と略平行に延在し、走査線１に沿った方向に間隔を置いて並んだ３個の短冊状の開口が形成されている。上記開口は、スリットと称される場合もある。画素電極５は、例えば帯状等であってもよい。また、画素電極５は、接続部５１を有する。接続部５１は、下方に突出しており、ドレイン電極３５と電気的に接続している。ここでは、画素電極５は、絶縁層３２に形成されたコンタクトホールを通ってドレイン電極３５に接続されている。画素電極５には、ドレイン電極３５から電圧が与えられる。画素電極５と共通電極４との間の電圧は、液晶層９０に与えられる。
【００１７】
配向膜３９は、例えばポリイミド製であり、液晶層９０の分子群を一定方向に配列させる。  
液晶層９０は、ネマティック液晶を利用して形成され、印加される電圧値に基づき液晶分子の配向方向が変化する。  
アレイ基板２００は、表示領域５０と非表示領域６０とを有する。表示領域５０には複数のスイッチング素子４０が設けられている。バックライト装置９００から液晶表示パネルに光が出射され、複数のスイッチング素子４０がそれぞれ制御されることにより、表示領域５０には画像（映像）が表示される。一方、非表示領域６０は、表示領域５０の外側の領域であり、画像（映像）を表示しない領域である。本実施形態では、表示領域５０は矩形状であり、非表示領域６０は矩形枠状であるが、形状は特に限定されるものではなく、種々変形可能である。例えば、表示領域５０は円形状であってもよい。
【００１８】
対向基板３００は、透明基板９１と、カラーフィルタ９２と、遮光部９３と、配向膜９４とを備える。  
絶縁性の透明基板９１は、ガラス製であるが、プラスチック製であってもよい。カラーフィルタ９２は、透明基板９１の下に設けられ、特定の色の光を透過する。遮光部９３は、透明基板９１の下に設けられている。また、遮光部９３は、格子状に形成され、走査線１及び信号線２と対向し、遮光性を有する。遮光部９３は、非表示領域６０に設けられていてもよい。配向膜９４は、液晶層９０の液晶分子群を一定方向に配列させる。なお、アレイ基板２００にカラーフィルタが設けられている場合は、カラーフィルタ９２及び遮光部９３は対向基板３００に設けられていなくてもよい。
【００１９】
図５は、本実施形態に係るアレイ基板２００の他の一部を拡大して示す平面図であり、図２における領域Ｂを拡大した図である。図６は、図５の線ＶＩ−ＶＩに沿った液晶表示装置１００を示す断面図である。  
シール材９５は、非表示領域６０に位置し、非表示領域６０の外周に沿って設けられている。シール材９５は、アレイ基板２００と対向基板３００とを接合し、液晶を封止している。液晶層９０は、アレイ基板２００、対向基板３００及びシール材９５で囲まれた空間に保持されている。シール材９５は、トラップ電極７の少なくとも一部と対向している。  
図７は、本実施形態に係るアレイ基板２００を示す他の平面図である。図８は、図７に示したアレイ基板２００の一部を拡大して示す平面図であり、図７における領域Ｃを拡大した図である。
【００２０】
走査線１は、表示領域５０から非表示領域６０にわたって設けられている。走査線１のうち、非表示領域６０に位置する部分を走査線１１とする。複数の走査線１のうち、約半数の走査線１の走査線１１は表示領域５０の一辺の外側に位置し、残りの走査線１の走査線１１は表示領域５０の他辺の外側に位置している。なお、表示領域５０の上記一辺と上記他辺とは、表示領域５０内において走査線１が延在する方向に対向している。  
複数の走査線１１は、表示領域５０内における走査線１が延在する方向から屈折し、非表示領域６０に沿って延在し、互いに間隔をおいて設けられている。複数の走査線１１の間隔は、表示領域５０における走査線１の間隔より狭い。複数の走査線１１は、駆動回路３８に接続されている。複数の走査線１は駆動回路３８により駆動される。複数の走査線１１の一部は、シール材９５の下方にも設けられている。
【００２１】
信号線２は、表示領域５０から非表示領域６０にわたって設けられている。信号線２のうち、非表示領域６０に位置する部分を信号線２１とする。複数の信号線２１は、非表示領域６０内で屈折し、駆動回路３８に接続されている。複数の信号線２は駆動回路３８により駆動される。
【００２２】
駆動回路３８は、アレイ基板２００の端近傍に設けられている。駆動回路３８は、複数の走査線１１にゲートハイ電圧及びゲートロー電圧を印加する。駆動回路３８は、複数の信号線２１に、表示する画像に応じた電圧（画像信号）を与える。  
絶縁層３１、絶縁層３２及び液晶層９０は、非表示領域６０にも設けられている。
【００２３】
第１シールド電極としてのシールド電極６は、絶縁層３２上に設けられている。すなわち、シールド電極６は、配向膜３９と同じ層に設けられている。シールド電極６は、駆動回路３８が設けられている辺を除く、非表示領域６０の３辺の形状に沿ったＵ字の板状である。また、シールド電極６は、複数の走査線１１の上方に設けられ、複数の走査線１１と対向している。シールド電極６の内縁は、最も内側の走査線１１よりも表示領域５０側に位置している。シールド電極６は、シール材９５に距離を置いて設けられている。シールド電極６は、例えばＩＴＯ（Indium Tin Oxide）等の導電性物質で形成されていてもよく、導電性の金属製であってもよい。シールド電極６の電位は、共通電極４の電位と同一に設定されている。本実施形態では、シールド電極６は、共通電極４と電気的に接続され、共通電極４と同電位になっている。  
配線６５は、駆動回路３８とシールド電極６とを接続する。配線６５は共通電極４に接続されていてもよい。
【００２４】
第１トラップ電極としてのトラップ電極７は、非表示領域６０の絶縁層３１上に設けられている。即ち、トラップ電極７は、共通電極４と同じ層に設けられている。トラップ電極７は、平面視において、非表示領域６０の３辺の形状に沿ったＵ字の形状をなしている。トラップ電極７は、シールド電極６に沿って設けられている。ここで、平面視において、シールド電極６は、トラップ電極７より表示領域５０側に設けられている。  
トラップ電極７は、走査線１１の上方に位置し、走査線１１に対向して設けられている。トラップ電極７は、例えばＩＴＯ等の透明の導電膜であってもよく、導電性の金属製であってもよい。トラップ電極７は、シール材９５の下方に設けられている。本実施形態において、シール材９５は、トラップ電極７の全体と対向している。
【００２５】
非表示領域６０において、絶縁層３１上には第１突出部としての突出部３１Ａが形成されている。突出部３１Ａは、対向基板３００側に突出している。ここでは、突出部３１Ａは絶縁層３１と一体に形成されている。突出部３１Ａを形成する際は、ハーフトーン露光などの一般に知られている技術を用い、絶縁層３１と突出部３１Ａとを同時に形成することができ得る。突出部３１Ａの形状は、シールド電極６の形状やトラップ電極７の形状に対応付けることができる。例えば、突出部３１Ａは、平面視において、非表示領域６０の３辺の形状に沿ったＵ字の形状をなしている。
【００２６】
トラップ電極７は、絶縁層３１の上方に形成されている。トラップ電極７は、突出部３１Ａの上方に形成されている。本実施形態において、トラップ電極７は、突出部３１Ａの上に形成されている。トラップ電極７は、突出部３１Ａの上面から突出部３１Ａの表示領域５０側の壁面にわたって連続的に形成されている。このため、突出部３１Ａに沿ってトラップ電極７を形成することができる。突出部３１Ａ及びトラップ電極７は、絶縁層３２で覆われている。
【００２７】
配線７５は、駆動回路３８とトラップ電極７とを接続する。ここで、駆動回路３８はトラップ電極７を駆動する。駆動回路３８は、トラップ電極７の電位をシールド電極６の電位に対して異ならせる。本実施形態において、駆動回路３８は、トラップ電極７の電位をシールド電極６の電位に対して低く設定する。駆動回路３８は、例えばスイッチング素子４０のオフ電圧であるゲートロー電圧を配線７５に印加する。トラップ電極７は、シールド電極６より低い電圧値に設定される。
【００２８】
シールド電極６及びトラップ電極７は、互いに電気的に絶縁されるよう距離を置いて配置されている。シールド電極６及びトラップ電極７は、平面視において少なくとも一部が重ならない位置に設けられている。また、シールド電極６とトラップ電極７とは、平面視において全く重ならない位置に設けられていることが望ましい。トラップ電極７の幅は、開口６１の幅より狭いことが望ましい。シールド電極６とトラップ電極７との少なくとも一部が平面視において重ならないことにより、不純物のイオンに対して、シールド電極６がイオンを遮蔽し、トラップ電極７がイオンを集めるというそれぞれの機能を効果的に発揮することができる。
【００２９】
本実施形態において、アレイ基板２００は、第２トラップ電極としてのトラップ電極９を備えている。トラップ電極９は、走査線１１と同じ層に設けられ、走査線１１とともに絶縁層３１で覆われている。この実施形態において、トラップ電極９は、複数の走査線１１の間に設けられている。また、トラップ電極９は、平面視において、シールド電極６とトラップ電極７との間に設けられている。トラップ電極９は、走査線１１と同じ導電材料（例えば、金属）で形成され得る。トラップ電極９を走査線１１と同じ層に設けることにより、液晶表示装置１００を製造する際に、走査線１１とトラップ電極９とを、簡潔な工程で製造することができる。なお、トラップ電極９は、時間平均の電圧が共通電極４の電圧より低い１又は複数本の低電圧走査線で形成されていてもよい。
【００３０】
トラップ電極９は駆動回路３８に電気的に接続されている。駆動回路３８はトラップ電極９を駆動する。駆動回路３８は、トラップ電極９の電位をシールド電極６の電位に対して異ならせる。本実施形態において、駆動回路３８は、トラップ電極７の電位をシールド電極６の電位に対して低く設定する。駆動回路３８は、例えばスイッチング素子４０のオフ電圧であるゲートロー電圧を配線７５に印加する。トラップ電極７は、シールド電極６より低い電圧値に設定される。この場合、トラップ電極９とトラップ電極７とは、駆動回路３８を介すること無しに接続されていてもよい。トラップ電極７だけではなくトラップ電極９もイオンをトラップするので、効果的にイオンを非表示領域６０に留めることができる。
【００３１】
トラップ電極９の形状は、シールド電極６の形状やトラップ電極７の形状に対応付けることができる。例えば、トラップ電極９は、平面視において、非表示領域６０の３辺の形状に沿ったＵ字の形状をなしている。但し、トラップ電極９の形状はＵ字に限定されるものではなく、種々変形可能である。トラップ電極９は、非表示領域６０の少なくとも一部に形成されていればよい。トラップ電極９を上記低電圧走査線で形成する場合、トラップ電極９は走査線１１に沿って延在するように形成されていればよい。  
また、突出部３１Ａ、シールド電極６及びトラップ電極７の形状に関しても、Ｕ字に限定されるものではなく、種々変形可能である。シールド電極６は走査線１１と対向していればよい。トラップ電極７は、非表示領域６０の少なくとも一部に形成され、シールド電極６との間に電界を形成することができればよい。
【００３２】
本実施形態によれば、非表示領域６０に、共通電極４と同電圧のシールド電極６と、共通電極４と異なる電位のトラップ電極７，９と、を備えるので、イオンを遮蔽しつつ、イオンを非表示領域６０に集めることができる。  
本実施形態において、不純物等が帯電したイオンは、正のイオンである。従って、トラップ電極７，９を共通電極４より低い電位にすることで、トラップ電極７，９は、クーロン力により、イオンを集めることができる。なお、不純物等が帯電したイオンが負のイオンである場合、トラップ電極７，９を共通電極４より高い電位にすることで、トラップ電極７，９はイオンを集めることができる。  
トラップ電極７の少なくとも一部はシール材９５と対向している。トラップ電極７の全体がシール材９５より表示領域５０側に位置している場合と比較して、イオンをトラップする空間をシール材９５の内周壁の近傍まで拡大することができる。本実施形態では、トラップ電極７の全体がシール材９５と対向しているため、イオンをトラップする空間をシール材９５の内周壁の近傍まで、一層、拡大することができる。より多くのイオンをトラップすることが可能となるため、一部のイオンが表示領域５０の内側に溢れ出る事態を抑制することができ、黒ムラの発生を抑制することができる。  
トラップ電極７は突出部３１Ａの上方に設けられている。トラップ電極７を突出部３１Ａの上方に設けない場合と比較して、イオンをトラップする空間を対向基板３００側に拡大することができる。トラップ電極７を突出部３１Ａの上方に設ける構成であれば、さらに、多くのイオンをトラップすることが可能となり、上述した効果を、一層、得ることができる。
【００３３】
また、シールド電極６は、絶縁層３２上に設けられている。即ち、シールド電極６は、液晶層９０と近接した位置に設けられている。これにより、シールド電極６は、液晶層９０から生じたイオンを効果的に遮蔽することができる。  
また、シールド電極６は、トラップ電極７，９より表示領域５０側に設けられている。これにより、トラップ電極７，９は、表示領域５０と非表示領域６０との境界よりも表示領域５０から離れた位置でイオンを集めることができる。したがってイオンが表示領域５０に集まることを効果的に防止することができる。
【００３４】
また、シールド電極６は、トラップ電極９より上層に設けられている。これにより、シールド電極６は、自身の上面側に加えて側面側のイオンも効果的に遮蔽することができる。  
また、シールド電極６は、一部が配向膜３９と同じ層に設けられている。これにより、シールド電極６は、配向膜３９から生じたイオンを効果的に遮蔽することができる。  
上記のことから、イオンを表示領域の外側に留めることのできる液晶表示装置１００を得ることができる。
【００３５】
（第２の実施形態）
次に、第２の実施形態に係る液晶表示装置について説明する。図９は、第２の実施形態に係る液晶表示装置１００を示す断面図である。  
図９に示すように、トラップ電極７は、上記第１の実施形態と同様であり、突出部３１Ａの上に形成され、その全体がシール材９５と対向している。上記第１の実施形態と比較し、アレイ基板２００はトラップ電極９無しに形成されている。シールド電極６は、絶縁層３２の上に設けられ、トラップ電極７側に拡張して形成されている。シール材９５は、シールド電極６の外縁部と対向している。ここでは、シール材９５は、シールド電極６の外縁部に重なっている。
【００３６】
上記のように構成された第２の実施形態に係る液晶表示装置１００によれば、液晶表示装置１００は、アレイ基板２００と、駆動回路３８と、対向基板３００と、シール材９５と、液晶層９０と、を備えている。アレイ基板２００は、トラップ電極７と、走査線１１の上方に位置したシールド電極６と、を有している。トラップ電極７は突出部３１Ａの上に形成されている。シール材９５は、トラップ電極７の全体と対向している。上記第１の実施形態と同様に、イオンをトラップする空間を拡大することができるため、イオンが表示領域５０の内側に溢れ出る事態を抑制することができ、黒ムラの発生を抑制することができる。
【００３７】
本実施形態では、シールド電極６の一部はシール材９５の下方に位置している。これにより、シール材９５又は液晶表示装置１００の外部から生じるイオンを効果的に遮蔽することができる。  
上記のことから、イオンを表示領域の外側に留めることのできる液晶表示装置１００を得ることができる。
【００３８】
（第３の実施形態）
次に、第３の実施形態に係る液晶表示装置について説明する。図１０は、第３の実施形態に係る液晶表示装置１００を示す断面図である。  
図１０に示すように、トラップ電極７は、突出部３１Ａの上に形成され、その全体がシール材９５と対向している。シールド電極６は、絶縁層３２の上に設けられ、トラップ電極７側に拡張して形成されている。シール材９５は、シールド電極６の外縁部と対向している。ここでは、シール材９５は、シールド電極６の外縁部に重なっている。トラップ電極９は、走査線１１と同じ層に設けられ、走査線１１とともに絶縁層３１で覆われている。平面視において、トラップ電極９は、シールド電極６より表示領域５０側に設けられている。
【００３９】
上記のように構成された第３の実施形態に係る液晶表示装置１００によれば、液晶表示装置１００は、アレイ基板２００と、駆動回路３８と、対向基板３００と、シール材９５と、液晶層９０と、を備えている。アレイ基板２００は、トラップ電極７と、走査線１１の上方に位置したシールド電極６と、を有している。トラップ電極７は突出部３１Ａの上に形成されている。シール材９５は、トラップ電極７の全体と対向している。上記第１の実施形態と同様に、イオンをトラップする空間を拡大することができるため、イオンが表示領域５０の内側に溢れ出る事態を抑制することができ、黒ムラの発生を抑制することができる。
【００４０】
シールド電極６の一部はシール材９５の下方に位置しているため、シール材９５又は液晶表示装置１００の外部から生じるイオンを効果的に遮蔽することができる。  
トラップ電極９は、シールド電極６より表示領域５０側に設けられている。これにより、トラップ電極９は、表示領域５０と非表示領域６０との境界近くにあるイオンを、非表示領域６０側に集めることができる。  
上記のことから、イオンを表示領域の外側に留めることのできる液晶表示装置１００を得ることができる。
【００４１】
（第４の実施形態）
次に、第４の実施形態に係る液晶表示装置について説明する。図１１は、第４の実施形態に係る液晶表示装置１００を示す断面図である。図１２は、図１１に示したアレイ基板２００を示す平面図である。図１３は、図１２に示したアレイ基板２００の一部を拡大して示す平面図であり、図１１における領域Ｄを拡大した図である。  
図１１、図１２及び図１３に示すように、トラップ電極７は、突出部３１Ａの上に形成され、その全体がシール材９５と対向している。シールド電極６は、絶縁層３２の上に設  
【００４２】
けられ、トラップ電極７側に拡張して形成されている。シール材９５は、シールド電極６の外縁部と対向している。ここでは、シール材９５は、シールド電極６の外縁部に重なっている。
【００４３】
シールド電極６には、開口が形成されている。本実施形態において、シールド電極６は、開口６１及び開口６２を有している。開口６１は、シールド電極６の外形に沿ってＵ字状に形成されている。開口６２は、シールド電極６の外形に沿ってＵ字状に形成されている。開口６２は、開口６１より表示領域５０側に位置している。  
トラップ電極９は、走査線１１と同じ層に設けられ、走査線１１とともに絶縁層３１で覆われている。トラップ電極９は、開口６１に露出するように延在している。
【００４４】
アレイ基板２００は、第３トラップ電極としてのトラップ電極１０をさらに有している。トラップ電極１０は、非表示領域６０の絶縁層３１上に設けられている。トラップ電極１０は、共通電極４と同じ層に設けられている。トラップ電極１０は、平面視において、非表示領域６０の３辺の形状に沿ったＵ字の形状をなしている。但し、トラップ電極１０の形状は、Ｕ字に限定されるものではなく、種々変形可能である。トラップ電極１０は、開口６２に沿って設けられている。トラップ電極１０は、複数の走査線１１の上方に設けられている。トラップ電極１０は、例えばＩＴＯ等の透明な導電材料や、金属を利用して形成することができる。  
トラップ電極１０は、開口６２の下方に設けられている。即ち、トラップ電極７は、平面視において、シールド電極６の開口６２内に配置されている。トラップ電極１０は、開口６２に露出するように設けられている。
【００４５】
シールド電極６及びトラップ電極１０は、平面視において少なくとも一部が重ならない位置に設けられている。また、シールド電極６とトラップ電極１０とは、平面視において全く重ならない位置に設けられていることが望ましい。トラップ電極１０の幅は、開口６２の幅より狭いことが望ましい。シールド電極６とトラップ電極１０との少なくとも一部が平面視において対向しないことにより、不純物のイオンに対して、シールド電極６がイオンを遮蔽し、トラップ電極１０がイオンを集めるというそれぞれの機能を効果的に発揮することができる。
配線１０５は、駆動回路３８とトラップ電極１０とを接続する。ここで、駆動回路３８はトラップ電極１０を駆動する。駆動回路３８は、トラップ電極１０の電位をシールド電極６の電位に対して異ならせる。本実施形態において、駆動回路３８は、トラップ電極１０の電位をシールド電極６の電位に対して低く設定する。駆動回路３８は、例えばスイッチング素子４０のオフ電圧であるゲートロー電圧を配線１０５に印加する。トラップ電極１０は、シールド電極６より低い電圧値に設定される。
【００４６】
上記のように構成された第４の実施形態に係る液晶表示装置１００によれば、液晶表示装置１００は、アレイ基板２００と、駆動回路３８と、対向基板３００と、シール材９５と、液晶層９０と、を備えている。アレイ基板２００は、トラップ電極７と、走査線１１の上方に位置したシールド電極６と、を有している。トラップ電極７は突出部３１Ａの上に形成されている。シール材９５は、トラップ電極７の全体と対向している。上記第１の実施形態と同様に、イオンをトラップする空間を拡大することができるため、イオンが表示領域５０の内側に溢れ出る事態を抑制することができ、黒ムラの発生を抑制することができる。
【００４７】
シールド電極６の一部はシール材９５の下方に位置しているため、シール材９５又は液晶表示装置１００の外部から生じるイオンを効果的に遮蔽することができる。  
シールド電極６とトラップ電極９との少なくとも一部や、シールド電極６とトラップ電極１０との少なくとも一部が平面視において対向しないことにより、不純物のイオンに対して、シールド電極６がイオンを遮蔽し、トラップ電極９，１０がイオンを集めるというそれぞれの機能を効果的に発揮することができる。  
上記のことから、イオンを表示領域の外側に留めることのできる液晶表示装置１００を得ることができる。
【００４８】
（第５の実施形態）
次に、第５の実施形態に係る液晶表示装置について説明する。図１４は、第５の実施形態に係る液晶表示装置１００を示す断面図である。  
図１４に示すように、トラップ電極７は、突出部３１Ａの上に形成され、その全体がシール材９５と対向している。シールド電極６は、絶縁層３２の上に設けられ、開口６１を有している。平面視において、シールド電極６は、シール材９５に対して距離を置いて設けられている。トラップ電極９は、走査線１１と同じ層に設けられ、走査線１１とともに絶縁層３１で覆われている。平面視において、トラップ電極９は、シールド電極６の内縁部より表示領域５０側に設けられている。
【００４９】
トラップ電極１０は、共通電極４と同じ層に設けられ、共通電極４とともに絶縁層３２で覆われている。トラップ電極１０は、平面視において、シールド電極６とトラップ電極７との間に設けられている。ここでは、トラップ電極１０は、シールド電極６の外縁部とシール材９５の内周壁との間に位置している。トラップ電極１０は、共通電極４と同じ導電材料（例えば、ＩＴＯ）で形成され得る。トラップ電極１０を共通電極４と同じ層に設けることにより、液晶表示装置１００を製造する際に、共通電極４とトラップ電極１０とを、簡潔な工程で製造することができる。
【００５０】
アレイ基板２００は、第４トラップ電極としてのトラップ電極１２をさらに有している。トラップ電極１２は、非表示領域６０にて絶縁層３２上に設けられている。トラップ電極１２は、シールド電極６と同じ層に設けられている。トラップ電極１２は、開口６１内に設けられている。トラップ電極１２は、平面視において、開口６１の形状に沿ったＵ字の形状をなしている。但し、トラップ電極１２の形状は、Ｕ字に限定されるものではなく、種々変形可能である。トラップ電極１２は、開口６２に沿って設けられている。トラップ電極１２は、開口６１に間隔を置いて設けられ、シールド電極６に対して電気的に絶縁されている。トラップ電極１２は、走査線１１の上方に設けられている。トラップ電極１２は、例えばＩＴＯ等の透明な導電材料や、金属を利用して形成することができる。トラップ電極１２とシールド電極６とは、同一の導電材料で形成されていてもよい。
【００５１】
トラップ電極１２は、配線を介して駆動回路３８に電気的に接続されている。ここで、駆動回路３８はトラップ電極１２を駆動する。駆動回路３８は、トラップ電極１２の電位をシールド電極６の電位に対して異ならせる。本実施形態において、駆動回路３８は、トラップ電極１２の電位をシールド電極６の電位に対して低く設定する。駆動回路３８は、例えばスイッチング素子４０のオフ電圧であるゲートロー電圧を上記配線を介してトラップ電極１２に印加する。トラップ電極１２は、シールド電極６より低い電圧値に設定される。
【００５２】
上記のように構成された第５の実施形態に係る液晶表示装置１００によれば、液晶表示装置１００は、アレイ基板２００と、駆動回路３８と、対向基板３００と、シール材９５と、液晶層９０と、を備えている。アレイ基板２００は、トラップ電極７と、走査線１１の上方に位置したシールド電極６と、を有している。トラップ電極７は突出部３１Ａの上に形成されている。シール材９５は、トラップ電極７の全体と対向している。上記第１の実施形態と同様に、イオンをトラップする空間を拡大することができるため、イオンが表示領域５０の内側に溢れ出る事態を抑制することができ、黒ムラの発生を抑制することができる。
【００５３】
シールド電極６とトラップ電極９との少なくとも一部や、シールド電極６とトラップ電極１０との少なくとも一部や、シールド電極６とトラップ電極１２との少なくとも一部が平面視において対向しないことにより、不純物のイオンに対して、シールド電極６がイオンを遮蔽し、トラップ電極９，１０，１２がイオンを集めるというそれぞれの機能を効果的に発揮することができる。
【００５４】
トラップ電極１２が、配向膜３９と同じ層に設けられている。これにより、トラップ電極１２は、配向膜３９から生じたイオンを効果的に集めることができる。トラップ電極１２は、絶縁層３２上に設けられている。即ち、トラップ電極１２は、液晶層９０と近接した位置に設けられている。これにより、トラップ電極１２は、液晶層９０から生じたイオンを効果的に集めることができる。  
また、シールド電極６とトラップ電極１２とが同じ層に設けられている。これにより、液晶表示装置１００を製造する際に、シールド電極６とトラップ電極１２とを簡潔な工程で製造することができ得る。  
トラップ電極９は、シールド電極６より表示領域５０側に設けられている。これにより、トラップ電極９は、表示領域５０と非表示領域６０との境界近くにあるイオンを、非表示領域６０側に集めることができる。  
上記のことから、イオンを表示領域の外側に留めることのできる液晶表示装置１００を得ることができる。
【００５５】
（第６の実施形態）
次に、第６の実施形態に係る液晶表示装置について説明する。図１５は、第６の実施形態に係る液晶表示装置１００を示す断面図である。  
図１５に示すように、トラップ電極７は、突出部３１Ａの上に形成され、その全体がシール材９５と対向している。シールド電極６は、絶縁層３２の上に設けられ、トラップ電極７側に拡張して形成されている。シール材９５は、シールド電極６の外縁部と対向している。ここでは、シール材９５は、シールド電極６の外縁部に重なっている。シールド電極６は、開口６１を有している。開口６１は、シールド電極６の外形に沿ってＵ字状に形成されている。
【００５６】
トラップ電極９は、走査線１１と同じ層に設けられ、走査線１１とともに絶縁層３１で覆われている。トラップ電極９は、開口６１に露出するように延在している。  
トラップ電極１０は、非表示領域６０にて絶縁層３１上に設けられ、絶縁層３２にて覆われている。トラップ電極１０は、共通電極４と同じ層に設けられている。トラップ電極１０は、シールド電極６の内縁部より表示領域５０側に位置している。トラップ電極１０は、平面視において、シールド電極６の形状に沿ったＵ字の形状をなしている。但し、トラップ電極１０の形状は、Ｕ字に限定されるものではなく、種々変形可能である。トラップ電極１０は、走査線１１と対向している。トラップ電極１０は、例えばＩＴＯ等の透明な導電材料や、金属を利用して形成することができる。  
シールド電極６及びトラップ電極１０は、平面視において少なくとも一部が重ならない位置に設けられている。また、シールド電極６とトラップ電極１０とは、平面視において少なくとも一部が重ならない位置に設けられている。
【００５７】
上記のように構成された第６の実施形態に係る液晶表示装置１００によれば、液晶表示装置１００は、アレイ基板２００と、駆動回路３８と、対向基板３００と、シール材９５と、液晶層９０と、を備えている。アレイ基板２００は、トラップ電極７と、走査線１１の上方に位置したシールド電極６と、を有している。トラップ電極７は突出部３１Ａの上に形成されている。シール材９５は、トラップ電極７の全体と対向している。上記第１の実施形態と同様に、イオンをトラップする空間を拡大することができるため、イオンが表示領域５０の内側に溢れ出る事態を抑制することができ、黒ムラの発生を抑制することができる。
【００５８】
シールド電極６の一部はシール材９５の下方に位置しているため、シール材９５又は液晶表示装置１００の外部から生じるイオンを効果的に遮蔽することができる。  
シールド電極６とトラップ電極９との少なくとも一部や、シールド電極６とトラップ電極１０との少なくとも一部が平面視において対向しないことにより、不純物のイオンに対して、シールド電極６がイオンを遮蔽し、トラップ電極９，１０がイオンを集めるというそれぞれの機能を効果的に発揮することができる。  
トラップ電極１０は、シールド電極６より表示領域５０側に設けられている。これにより、トラップ電極１０は、表示領域５０と非表示領域６０との境界近くにあるイオンを、非表示領域６０側に集めることができる。  
上記のことから、イオンを表示領域の外側に留めることのできる液晶表示装置１００を得ることができる。
【００５９】
（第７の実施形態）
次に、第７の実施形態に係る液晶表示装置について説明する。図１６は、第７の実施形態に係る液晶表示装置１００を示す断面図である。  
図１６に示すように、トラップ電極７は、突出部３１Ａの上に形成され、その全体がシール材９５と対向している。シールド電極６は、絶縁層３２の上に設けられ、開口６１を有している。平面視において、シールド電極６は、シール材９５に対して距離を置いて設けられている。
【００６０】
トラップ電極９は、共通電極４と同じ層に設けられ、共通電極４とともに絶縁層３２で覆われている。トラップ電極９は、平面視において、シールド電極６とトラップ電極７との間に設けられている。ここでは、トラップ電極９は、シールド電極６の外縁部とシール材９５の内周壁との間に位置している。トラップ電極９は、共通電極４と同じ導電材料（例えば、ＩＴＯ）で形成され得る。トラップ電極９を共通電極４と同じ層に設けることにより、液晶表示装置１００を製造する際に、共通電極４とトラップ電極９とを、簡潔な工程で製造することができる。
【００６１】
トラップ電極１０は、非表示領域６０にて絶縁層３２上に設けられている。トラップ電極１０は、シールド電極６と同じ層に設けられている。トラップ電極１０は、開口６１内に設けられている。トラップ電極１０は、平面視において、開口６１の形状に沿ったＵ字の形状をなしている。但し、トラップ電極１０の形状は、Ｕ字に限定されるものではなく、種々変形可能である。トラップ電極１０は、開口６１に沿って設けられている。トラップ電極１０は、開口６１に間隔を置いて設けられ、シールド電極６に対して電気的に絶縁されている。トラップ電極１０は、走査線１１の上方に設けられている。トラップ電極１０は、例えばＩＴＯ等の透明な導電材料や、金属を利用して形成することができる。トラップ電極１０とシールド電極６とは、同一の導電材料で形成されていてもよい。
【００６２】
上記のように構成された第７の実施形態に係る液晶表示装置１００によれば、液晶表示装置１００は、アレイ基板２００と、駆動回路３８と、対向基板３００と、シール材９５と、液晶層９０と、を備えている。アレイ基板２００は、トラップ電極７と、走査線１１の上方に位置したシールド電極６と、を有している。トラップ電極７は突出部３１Ａの上に形成されている。シール材９５は、トラップ電極７の全体と対向している。上記第１の実施形態と同様に、イオンをトラップする空間を拡大することができるため、イオンが表示領域５０の内側に溢れ出る事態を抑制することができ、黒ムラの発生を抑制することができる。
【００６３】
シールド電極６とトラップ電極９との少なくとも一部や、シールド電極６とトラップ電極１０との少なくとも一部が平面視において対向しないことにより、不純物のイオンに対して、シールド電極６がイオンを遮蔽し、トラップ電極９，１０がイオンを集めるというそれぞれの機能を効果的に発揮することができる。
【００６４】
トラップ電極１０が、配向膜３９と同じ層に設けられている。これにより、トラップ電極１０は、配向膜３９から生じたイオンを効果的に集めることができる。トラップ電極１０は、絶縁層３２上に設けられている。即ち、トラップ電極１０は、液晶層９０と近接した位置に設けられている。これにより、トラップ電極１０は、液晶層９０から生じたイオンを効果的に集めることができる。  
また、シールド電極６とトラップ電極１０とが同じ層に設けられている。これにより、液晶表示装置１００を製造する際に、シールド電極６とトラップ電極１０とを簡潔な工程で製造することができ得る。  
上記のことから、イオンを表示領域の外側に留めることのできる液晶表示装置１００を得ることができる。
【００６５】
（第８の実施形態）
次に、第８の実施形態に係る液晶表示装置について説明する。図１７は、第８の実施形態に係る液晶表示装置１００を示す断面図である。  
図１７に示すように、本実施形態に係る液晶表示装置１００は、上述した第１の実施形態と比較して、トラップ電極７に対するシール材９５の位置が異なっている。シール材９５は、トラップ電極７の全体と対向しているのではなく、シール材９５は、トラップ電極７の一部と対向している。シール材９５は、トラップ電極７の外縁部と対向している。
【００６６】
上記のように構成された第８の実施形態に係る液晶表示装置１００によれば、液晶表示装置１００は、アレイ基板２００と、駆動回路３８と、対向基板３００と、シール材９５と、液晶層９０と、を備えている。アレイ基板２００は、トラップ電極７と、走査線１１の上方に位置したシールド電極６と、を有している。トラップ電極７は突出部３１Ａの上に形成されている。
【００６７】
シール材９５がトラップ電極７の少なくとも一部と対向している点で、上記第１の実施形態と共通である。このため、本実施形態においても、上記第１の実施形態と同様の効果をえることができる。  
上記のことから、イオンを表示領域の外側に留めることのできる液晶表示装置１００を得ることができる。
【００６８】
（第９の実施形態）
次に、第９の実施形態に係る液晶表示装置について説明する。図１８は、第９の実施形態に係る液晶表示装置１００を示す断面図である。  
図１８に示すように、本実施形態に係る液晶表示装置１００は、上述した第１の実施形態と比較して、トラップ電極７を形成する位置が異なっている。非表示領域６０において、絶縁層３２は、第２突出部としての突出部３２Ａを有している。突出部３２Ａは、突出部３１Ａに重畳して形成されている。突出部３２Ａは、突出部３１Ａの形状に対応して隆起して形成されている。例えば、突出部３２Ａは、Ｕ字の形状をなしている。トラップ電極７は、突出部３１Ａの上方に形成されている。トラップ電極７は、突出部３２Ａの上に形成されている。トラップ電極７は、突出部３２Ａの上面から突出部３２Ａの表示領域５０側の壁面にわたって連続的に形成されている。このため、突出部３２Ａに沿ってトラップ電極７を形成することができる。この実施形態において、突出部３２Ａ及びトラップ電極７は、シール材９５で覆われている。
【００６９】
上記のように構成された第９の実施形態に係る液晶表示装置１００によれば、液晶表示装置１００は、アレイ基板２００と、駆動回路３８と、対向基板３００と、シール材９５と、液晶層９０と、を備えている。アレイ基板２００は、トラップ電極７と、走査線１１の上方に位置したシールド電極６と、を有している。シール材９５は、トラップ電極７の全体と対向している。
【００７０】
トラップ電極７は突出部３２Ａの上に形成されている。トラップ電極７が突出部３１Ａの上方に形成されている点で、上記第１の実施形態と共通である。このため、本実施形態においても、上記第１の実施形態と同様の効果をえることができる。  
上記のことから、イオンを表示領域の外側に留めることのできる液晶表示装置１００を得ることができる。
【００７１】
（第１０の実施形態）
次に、第１０の実施形態に係る液晶表示装置について説明する。図１９は、第１０の実施形態に係る液晶表示装置１００を示す断面図である。  
図１９に示すように、本実施形態に係る液晶表示装置１００は、上述した第１の実施形態と比較して、突出部３１Ａが形成されていない点で異なっている。絶縁層３１は、表示領域５０と非表示領域６０とで、厚みが同一となるように形成されている。
トラップ電極７は、突出部３１Ａなどの形成されていない絶縁層３１の表面上に形成されている。トラップ電極７が重ねられる絶縁層３１の表面は、略平坦な面である。トラップ電極７は、その全体がシール材９５で覆われている。
【００７２】
上記のように構成された第１０の実施形態に係る液晶表示装置１００によれば、液晶表示装置１００は、アレイ基板２００と、駆動回路３８と、対向基板３００と、シール材９５と、液晶層９０と、を備えている。アレイ基板２００は、トラップ電極７と、走査線１１の上方に位置したシールド電極６と、を有している。シール材９５は、トラップ電極７の全体と対向している。トラップ電極７は絶縁層３２の略平坦な表面の上に形成されている。トラップ電極７の少なくとも一部がシール材９５と対向している点で、上記第１の実施形態と共通である。上記実施形態では、トラップ電極７の全体がシール材９５と対向している点で、上記第１の実施形態と共通である。このため、本実施形態においても、上記第１の実施形態と同様の効果をえることができる。  
上記のことから、イオンを表示領域の外側に留めることのできる液晶表示装置１００を得ることができる。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７４】
例えば、シールド電極６は、非表示領域６０において、走査線１１の上方に位置し、走査線１１と対向して設けられていればよい。このため、シールド電極６は、絶縁層３２の上ではなく絶縁層３１の上に形成されてもよい。シールド電極６を絶縁層３１の上に形成する場合であっても、シールド電極６は、その一部がシール材９５と対向するようにもうけられていてもよい。  
アレイ基板２００は、複数のシールド電極を有していてもよい。例えば、アレイ基板２００は、シールド電極６の他に、第２シールド電極を有していてもよい。シールド電極６と第２シールド電極とを用いる場合、例えば、シールド電極６を絶縁層３２の上に形成し、第２シールド電極を絶縁層３１の上に形成してもよい。駆動回路３８は、第２シールド電極をさらに駆動し、第２シールド電極の電位をシールド電極６の電位と同一に設定し、トラップ電極の電位をシールド電極６及び第２シールド電極の電位に対して異ならせることができる。
【００７５】
また、アレイ基板２００は、トラップ電極として、トラップ電極７のみ有していてもよいが、上述した実施形態で示したように、トラップ電極７以外の他のトラップ電極をさらに有していてもよい。  
非表示領域６０において、シールド電極（シールド電極６）より表示領域５０側に、一又は複数のトラップ電極が設けられていてもよい。この場合、トラップ電極はどのレベルの層に設けられていてもよく、走査線１１と同じ層に設けたり、絶縁層３１上に設けたり、絶縁層３２上に設けたり、することができる。シールド電極より表示領域５０側に複数のトラップ電極を設ける場合、複数のトラップ電極を同じ層に設けてもよいが、異なる層に分けて設けてもよい。
【００７６】
シールド電極が上述した実施形態に示したような開口を有している場合、平面視にて、開口の内側に一又は複数のトラップ電極が設けられていてもよい。トラップ電極は、その少なくとも一部が開口の内側に位置していればよい。また、トラップ電極はどのレベルの層に設けられていてもよく、走査線１１と同じ層に設けたり、絶縁層３１上に設けたり、絶縁層３２上に設けたり、することができる。開口の内側に複数のトラップ電極を設ける場合、複数のトラップ電極を同じ層に設けてもよいが、異なる層に分けて設けてもよい。
【００７７】
平面視において、非表示領域６０に間隔を置いて複数のシールド電極が設けられている場合、シールド電極の間に一又は複数のトラップ電極が設けられていてもよい。トラップ電極は、その少なくとも一部がシールド電極の間に位置していればよい。また、トラップ電極はどのレベルの層に設けられていてもよく、走査線１１と同じ層に設けたり、絶縁層３１上に設けたり、絶縁層３２上に設けたり、することができる。シールド電極の間に複数のトラップ電極を設ける場合、複数のトラップ電極を同じ層に設けてもよいが、異なる層に分けて設けてもよい。
【００７８】
図６、図１４及び図１６などに示したように、平面視において、シールド電極とトラップ電極７との間に、別のトラップ電極が設けられていてもよい。但し、この場合、別のトラップ電極は、トラップ電極７と同じ層に設けたり、トラップ電極７より下方の層に設けたり、することができる。別のトラップ電極をトラップ電極７より上方の層に設けることは好ましくない。例えば、図６において、トラップ電極９を絶縁層３２の上に形成することは好ましくない。トラップ電極７がシールド電極６との間に電界を形成し難くなるためである。
【００７９】
トラップ電極７を突出部の上に形成する場合、トラップ電極７は突出部の上面のみに形成されていてもよく、突出部の表示領域５０側の壁面のみに形成されていてもよい。  
なお、シールド電極６及びトラップ電極７は、非表示領域６０のうち、駆動回路３８が設けられている辺の側に設けられていてもよい。非表示領域６０の走査線１１とともに、又は走査線１１に替えて、シールド電極及びトラップ電極が、非表示領域６０の信号線２１の上方に設けられていてもよい。
【００８０】
なお、配向膜３９は、非表示領域６０に設けられていてもよく、シール材９５近傍まで設けられていてもよい。この場合、シールド電極６は、配向膜３９の上方に設けられていてもよい。また、この場合、シールド電極６は、配向膜３９の直上又は直下で重なっていてもよい。これにより、非表示領域６０に設けられた配向膜３９から生じるイオンが、表示領域５０に集まることを効果的に抑制できる。
【００８１】
上述した実施形態は、各種の液晶表示装置及びその駆動方法に適用可能である。また、上述した実施形態は、中小型の液晶表示装置から大型の液晶表示装置まで、特に限定することなく適用が可能であることは言うまでもない。
【符号の説明】
【００８２】
１００…表示装置、２００…アレイ基板、３００…対向基板、９００…バックライト装置、１，１１…走査線、２，２１…信号線、４…共通電極、５…画素電極、６…シールド電極、６１，６２…開口、７，９，１０，１２…トラップ電極、３０…透明基板、３１，３２…絶縁層、３１Ａ，３２Ａ…突出部、３８…駆動回路、３９，９４…配向膜、４０…スイッチング素子、５０…表示領域、６０…非表示領域、６５，７５，１０５…配線、９０…液晶層、９１…透明基板、９５…シール材。
【図１】
2017090771.tif 000003
【図２】
2017090771.tif 000004
【図３】
2017090771.tif 000005
【図４】
2017090771.tif 000006
【図５】
2017090771.tif 000007
【図６】
2017090771.tif 000008
【図７】
2017090771.tif 000009
【図８】
2017090771.tif 000010
【図９】
2017090771.tif 000011
【図１０】
2017090771.tif 000012
【図１１】
2017090771.tif 000013
【図１２】
2017090771.tif 000014
【図１３】
2017090771.tif 000015
【図１４】
2017090771.tif 000016
【図１５】
2017090771.tif 000017
【図１６】
2017090771.tif 000018
【図１７】
2017090771.tif 000019
【図１８】
2017090771.tif 000020
【図１９】
2017090771.tif 000021